(57)【要約】【課題】印刷時におけるユーザーの入力操作の回数を減らすことができる画像形成装置を提供する。【解決手段】画像形成装置１は、操作部３と、記憶部５と、判定部１２と、表示部２と、画像形成部６とを備える。操作部３は、第１識別子の入力を受け付ける。記憶部５は、印刷ジョブを格納する。判定部１２は、印刷対象ジョブが記憶部５に格納されているか否かを判定する。印刷対象ジョブは、印刷ジョブのうち、第１識別子に対応する第２識別子と紐付けられた印刷ジョブである。表示部２は、印刷対象ジョブが記憶部５に格納されていると判定部１２が判定した場合、印刷対象ジョブの一覧を示す画面を表示する。画像形成部６は、印刷対象ジョブの一覧の中から選択された印刷対象ジョブに基づいてシートに画像を形成する。【選択図】図２
2016210135.tif 000002
【特許請求の範囲】
【請求項１】
第１識別子の入力を受け付ける操作部と、
印刷ジョブを格納する記憶部と、
前記印刷ジョブのうち、前記第１識別子に対応する第２識別子と紐付けられた前記印刷ジョブである印刷対象ジョブが前記記憶部に格納されているか否かを判定する判定部と、
前記印刷対象ジョブが前記記憶部に格納されていると前記判定部が判定した場合、前記印刷対象ジョブの一覧を示す第１画面を表示する表示部と、
前記印刷対象ジョブの一覧の中から選択された印刷対象ジョブに基づいてシートに画像を形成する画像形成部と
を備える、画像形成装置。
【請求項２】
前記表示部は、前記印刷対象ジョブが前記記憶部に格納されていないと前記判定部が判定した場合、前記第１画面とは異なる予め設定された第２画面を表示する、請求項１に記載の画像形成装置。
【請求項３】
前記記憶部は、第３識別子ごとに設けられた記憶領域を含み、
前記第２識別子が紐付けられた前記印刷ジョブは、前記第２識別子に対応する前記第３識別子の前記記憶領域に格納される、請求項１又は請求項２に記載の画像形成装置。
【請求項４】
前記記憶部は、前記第２識別子ごとに設けられた記憶領域を含み、
前記判定部は、前記第１識別子に対応する前記第２識別子の前記記憶領域に前記印刷対象ジョブが格納されているか否かを判定する、請求項１又は請求項２に記載の画像形成装置。
【請求項５】
外部装置と通信を行う通信部を更に備え、
前記第２識別子が紐付けられた前記印刷ジョブは、前記外部装置から前記通信部を介して前記記憶部に格納される、請求項１〜請求項４のいずれか１項に記載の画像形成装置。
【請求項６】
記憶部に格納された印刷ジョブに基づいてシートに画像を形成する画像形成装置の制御方法であって、
第１識別子の入力を受け付けるステップと、
前記印刷ジョブのうち、前記第１識別子に対応する第２識別子と紐付けられた前記印刷ジョブである印刷対象ジョブが前記記憶部に格納されているか否かを判定するステップと、
前記印刷対象ジョブが前記記憶部に格納されていると判定された場合、前記印刷対象ジョブの一覧を示す画面を表示するステップと、
前記印刷対象ジョブの一覧の中から選択された前記印刷対象ジョブに基づいてシートに画像を形成するステップと
を含む、画像形成装置の制御方法。
【発明の詳細な説明】
【技術分野】
【０００１】
本発明は、画像形成装置、及び、その画像形成装置を制御する制御方法に関する。
【背景技術】
【０００２】
画像形成装置は、セキュリティーの向上を目的としてユーザーの認証処理機能を備える場合がある。このような場合、ユーザーは画像形成装置を利用するために、操作部を操作してログインＩＤ（識別子）及びパスワードを入力する。
【０００３】
特許文献１には、認証処理によって取得されたログインＩＤに応じたカスタマイズ画面を、認証処理後の初期画面として表示部に表示させる画像形成装置が開示されている。カスタマイズ画面は、認証後に表示部に表示される画面がユーザーによってカスタマイズされた画面である。例えば、コピーを実行するためのコピーメニュー画面がカスタマイズ画面としてユーザーによって設定される。
【先行技術文献】
【特許文献】
【０００４】
【特許文献１】特開２００８−２５８８９３号公報
【発明の概要】
【発明が解決しようとする課題】
【０００５】
しかしながら、一般的な画像形成装置において印刷を実行する場合、ユーザーは、ログインＩＤ、及び、パスワードを入力した後に所定の操作を複数回行う必要がある。特に特許文献１に記載の画像形成装置のように認証処理後の初期画面としてカスタマイズ画面が表示される場合、ユーザーの操作回数が増加する可能性がある。例えば、カスタマイズ画面としてコピーメニュー画面が設定されている場合において、ユーザーは、印刷を実行するために、ホームキーを押下して、表示部にホーム画面（画像形成装置の初期画面）を表示させる。その後、ホーム画面から複数回入力操作を行って印刷を実行する必要がある。
【０００６】
本発明は、上記課題に鑑み、印刷時におけるユーザーの入力操作の回数を減らすことができる画像形成装置、及び、その画像形成装置を制御する方法を提供することを目的とする。
【課題を解決するための手段】
【０００７】
本発明の画像形成装置は、操作部と、記憶部と、判定部と、表示部と、画像形成部とを備える。前記操作部は、第１識別子の入力を受け付ける。前記記憶部は、印刷ジョブを格納する。前記判定部は、印刷対象ジョブが前記記憶部に格納されているか否かを判定する。印刷対象ジョブは、前記印刷ジョブのうち、前記第１識別子に対応する第２識別子と紐付けられた印刷ジョブである。前記表示部は、前記印刷対象ジョブが前記記憶部に格納されていると前記判定部が判定した場合、前記印刷対象ジョブの一覧を示す画面を表示する。前記画像形成部は、前記印刷対象ジョブの一覧の中から選択された印刷対象ジョブに基づいてシートに画像を形成する。
【０００８】
本発明の画像形成装置の制御方法は、記憶部に格納された印刷ジョブに基づいてシートに画像を形成する画像形成装置の制御方法である。当該画像形成装置の制御方法は、以下のステップを含む。第１識別子の入力を受け付けるステップ。前記印刷ジョブのうち、前記第１識別子に対応する第２識別子と紐付けられた前記印刷ジョブである印刷対象ジョブが前記記憶部に格納されているか否かを判定するステップ。前記印刷対象ジョブが前記記憶部に格納されていると判定された場合、前記印刷対象ジョブの一覧を示す画面を表示するステップ。前記印刷対象ジョブの一覧の中から選択された前記印刷対象ジョブに基づいてシートに画像を形成するステップ。
【発明の効果】
【０００９】
本発明によれば、印刷時におけるユーザーの入力操作の回数を減らすことができる。
【図面の簡単な説明】
【００１０】
【図１】本発明の実施形態に係る画像形成装置を示す図である。
【図２】本発明の実施形態に係る画像形成装置の構成を示すブロック図である。
【図３】本発明の実施形態に係る画像形成装置の動作を示すフローチャートである。
【発明を実施するための形態】
【００１１】
以下、図面を参照して、本発明の実施形態に係る画像形成装置、及び、その画像形成装置を制御する方法の実施形態について説明する。なお、図中、同一又は相当部分については同一の参照符号を付して説明を繰り返さない。
【００１２】
まず、図１を参照して、画像形成装置１について説明する。図１は、画像形成装置１を示す図である。本実施形態において、画像形成装置１は、複合機である。
【００１３】
図１に示すように、画像形成装置１は、表示部２、及び、操作部３を備える。
【００１４】
表示部２、及び、操作部３は、画像形成装置１の本体上部に設けられる。本実施形態において、表示部２は、例えば、液晶ディスプレーを含む。表示部２は、各種メニュー画面を表示し得る。操作部３は、例えば、複数の操作ボタンを含む。操作部３は、入力操作を受け付ける。本実施形態では、ユーザーは、操作ボタンを押下することによって所定の機能を画像形成装置１に実行させることができる。
【００１５】
続いて、図２を参照して画像形成装置１の構成について詳細に説明する。図２は、画像形成装置１の構成を示すブロック図である。
【００１６】
図２に示すように、画像形成装置１は、表示部２、及び、操作部３に加え、通信部４、記憶部５、画像形成部６、及び、制御部１０を備える。
【００１７】
表示部２は、ログイン画面、カスタマイズ画面、ホーム画面、及び印刷対象ジョブの一覧を示す画面などを表示する。ログイン画面は、認証処理を受け付けるための画面である。カスタマイズ画面は、認証処理後の初期画面として表示部２に表示される。カスタマイズ画面は、ユーザーによって予め設定される。ホーム画面は、画像形成装置１の初期画面である。印刷対象ジョブの一覧を示す画面は、第１画面の一例である。カスタマイズ画面は、第２画面の一例である。
【００１８】
操作部３は、入力操作に応じた信号を制御部１０へ送信する。本実施形態では、ユーザーは、操作部３を操作して、ログインＩＤ、及び、パスワードを入力する。ログインＩＤは、画像形成装置１にログインするユーザーを識別するための識別子であって、第１識別子の一例である。
【００１９】
通信部４は、パーソナルコンピューターのような外部装置とデータの通信を行う。本実施形態において、通信部４は、ネットワークインターフェイスである。画像形成装置１は、外部装置から送信された印刷ジョブを、通信部４を介して受信する。本実施形態において、印刷ジョブには、作成者ＩＤが付加されている。作成者ＩＤは、印刷ジョブを作成したユーザーを識別するための識別子であって第２識別子の一例である。
【００２０】
記憶部５は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部５には、プログラム、及び設定情報が格納される。また、記憶部５には、外部装置から受信した印刷ジョブが格納される。印刷ジョブは、作成者ＩＤと紐付けられて記憶部５に格納される。
【００２１】
また、記憶部５は、プライベートボックス５１を含む。プライベートボックス５１は、ボックスＩＤごとに設けられるボックス５１１を含む。ボックス５１１は、外部装置から送信された印刷ジョブが格納される記憶領域である。詳しくは、印刷ジョブは、その印刷ジョブに紐付けられた作成者ＩＤに対応するボックスＩＤのボックス５１１に格納される。例えば、印刷ジョブは、その印刷ジョブに紐付けられた作成者ＩＤと一致するボックスＩＤのボックス５１１に格納される。なお、ボックスＩＤは、ボックス５１１を識別するための識別子であって第３識別子の一例である。
【００２２】
制御部１０は、ＲＯＭに予め記憶された制御プログラムを実行することにより、画像形成装置１の各部の動作を制御する。また、制御部１０は、操作部３から送信された信号に基づいて、画像形成装置１の各部を制御する。制御部１０は、認証部１１、及び判定部１２を有する。
【００２３】
認証部１１は、ユーザーがログインＩＤ及びパスワードの入力操作を行うと、認証処理を開始する。認証部１１による認証処理が失敗した場合、制御部１０は、認証処理が失敗した旨を示す画面を表示部２に表示させる。一方、認証部１１による認証処理が成功した場合、判定部１２による判定処理が開始される。
【００２４】
判定部１２は、ログインＩＤに対応する作成者ＩＤと紐付けられた印刷ジョブである印刷対象ジョブがプライベートボックス５１に格納されているか否かを判定する。本実施形態では、判定部１２は、印刷ジョブのうち、ログインＩＤに対応するボックスＩＤのボックス５１１に印刷対象ジョブが格納されているか否かを判定する。例えば、判定部１２は、ログインＩＤに一致するボックスＩＤのボックス５１１に印刷対象ジョブが格納されているか否かを判定する。
【００２５】
印刷対象ジョブがプライベートボックス５１に格納されていると判定部１２が判定した場合、制御部１０は、ログインＩＤに対応するボックスＩＤのボックス５１１の中に格納されている印刷対象ジョブの一覧を示す画面を表示部２に表示させる。一方、印刷対象ジョブがプライベートボックス５１に格納されていないと判定部１２が判定した場合、制御部１０は、印刷対象ジョブの一覧を示す画面とは異なるカスタマイズ画面を表示部２に表示させる。
【００２６】
画像形成部６は、印刷対象ジョブに基づいてシートに画像を形成する（印刷を実行する）。本実施形態において、画像形成部６は、表示部２に表示された印刷対象ジョブの一覧の中から、ユーザーによって選択された印刷対象ジョブに基づいて画像を形成する。
【００２７】
続いて、図３を参照して画像形成装置１の制御方法について説明する。図３は、画像形成装置１の動作を示すフローチャートである。
【００２８】
ユーザーがログインＩＤ及びパスワードの入力操作を行うと、図３に示すように、認証部１１は、認証処理を開始する（ステップＳ２）。
【００２９】
認証部１１による認証処理の結果、認証処理が失敗した場合（ステップＳ４：Ｎｏ）、制御部１０は、認証処理が失敗した旨を示す画面を表示部２に表示させる（ステップＳ１６）。そして、処理は終了する。一方、認証処理が成功した場合（ステップＳ４：Ｙｅｓ）、判定部１２は、印刷対象ジョブがプライベートボックス５１に格納されているか否かを判定する（ステップＳ６）。
【００３０】
プライベートボックス５１に印刷対象ジョブが格納されていないと判定部１２が判定した場合（ステップＳ６：Ｎｏ）、制御部１０は、カスタマイズ画面を表示部２に表示させる（ステップＳ１４）。そして、処理は終了する。
【００３１】
一方、プライベートボックス５１に印刷対象ジョブが格納されていると判定部１２が判定した場合（ステップＳ６：Ｙｅｓ）、制御部１０は、印刷対象ジョブの一覧を示す画面を表示部２に表示させる（ステップＳ８）。ユーザーは、表示部２に表示された印刷対象ジョブの一覧の中から所望の印刷対象ジョブを選択する（ステップＳ１０）。これにより、画像形成部６は、選択された印刷対象ジョブに基づいてシートに画像を形成する（ステップＳ１２）。
【００３２】
以上、本発明の実施形態について説明した。本実施形態によれば、ユーザーがログインＩＤの入力操作を行うと、画像形成装置１は、印刷対象ジョブの一覧を示す画面をログイン処理後の画面として表示部２に表示する。ユーザーは、表示部２に表示された印刷対象ジョブの一覧の中から所望の印刷対象ジョブを選択するだけで、所望の画像が形成されたシートを得ることができる。よって、印刷時におけるユーザーの入力操作の回数を減らすことができる。
【００３３】
具体的には、一般的な画像形成装置において、シートに画像を形成する場合、ユーザーは、ログインＩＤ、及び、パスワードを入力した後に所定の操作を複数回行う必要がある。特に、認証処理後の初期画面としてカスタマイズ画面が表示部に表示される画像形成装置では、ユーザーの操作回数が増加する可能性がある。例えば、カスタマイズ画面としてコピーメニュー画面が設定されている場合、ユーザーは、シートに画像を形成するために、コピーメニュー画面においてホームキーを押下してホーム画面を表示部に表示させる。次いで、ユーザーは、ホーム画面を操作して、ジョブボックス画面を表示部に表示させる。ジョブボックス画面は、印刷、スキャン、及び、ファクシミリなどの各機能の中の１つを選択するための画面である。次いで、ユーザーは、ジョブボックス画面を操作して印刷メニュー画面を表示部に表示させる。次いで、ユーザーは、印刷メニュー画面を操作してボックスの一覧を示す画面を表示部に表示させる。次いで、ユーザーは、ボックスの一覧の中から自己のボックスを選択する操作を行う。これにより、自己のボックスの中に格納された印刷ジョブの一覧を示す画面が表示される。最後に、ユーザーは、印刷ジョブの一覧の中から所望の印刷ジョブを選択した後に、ジョブを開始させる操作を行う。
【００３４】
このように、一般的な画像形成装置においてシートに画像を形成するために、ユーザーは、所定の操作を複数回行う必要がある。これに対し、上述のように、本実施形態によれば、認証処理後に印刷ジョブの一覧を示す画面が表示される。したがって、ユーザーによる入力操作の回数を減らすことができる。この結果、ユーザーが印刷を実行する際に感じる入力操作の煩わしさを軽減することができる。
【００３５】
以上、本発明の実施形態について、図面（図１〜図３）を参照しながら説明した。但し、本発明は、上記の実施形態に限られるものではなく、その要旨を逸脱しない範囲で種々の態様において実施することが可能である。
【００３６】
例えば、本実施形態では、ボックスＩＤごとにボックス５１１が設けられ、判定部１２は、ログインＩＤに対応するボックスＩＤのボックス５１１に印刷対象ジョブが格納されているか否かを判定したが、本発明は、これに限定されない。例えば、作成者ＩＤごとにボックスが設けられてもよい。この場合、判定部１２は、ログインＩＤに対応する作成者ＩＤのボックスに印刷対象ジョブが格納されているか否かを判定する。
【００３７】
また、本実施形態において、印刷ジョブは、その印刷ジョブに紐付けられた作成者ＩＤに対応するボックスＩＤのボックス５１１に格納されたが、本発明は、これに限定されない。例えば、印刷ジョブは、記憶部５にランダムに格納されてもよい。この場合、記憶部５は、印刷ジョブと作成者ＩＤとの対応関係を管理する管理テーブルを更に格納する。判定部１２は、管理テーブルに基づいて、印刷対象ジョブがプライベートボックス５１に格納されているか否かを判定する。
【００３８】
また、本実施形態では、本発明を複合機に適用する場合を例に説明したが、本発明は、これに限定されない。例えば、本発明は、表示部を備えたプリンター、認証部を備えた外部サーバー、及び、記憶部を備えた外部サーバーによって構成される画像形成装置にも適用可能である。
【産業上の利用可能性】
【００３９】
本発明は、画像形成装置に有用である。
【符号の説明】
【００４０】
１        画像形成装置
２        表示部
３        操作部
５        記憶部
６        画像形成部
１０      制御部
１１      認証部
１２      判定部
【図１】
2016210135.tif 000003
【図２】
2016210135.tif 000004
【図３】
2016210135.tif 000005